(57)【要約】      （修正有）【課題】ハンガーに掛けた衣服の滑りを防止できると共に消臭及び抗菌作用を具備する衣服用ハンガーを提供する。【解決手段】ハンガー本体１と、このハンガー本体１の中央上端部に設けたフック２とを備えた衣服用ハンガーであって、ハンガー本体１の少なくとも表面に消臭剤及び抗菌剤を含有するポリエステルウレタン系の塗料よりなるコーティング材で塗膜層１１を形成する。ハンガー本体１の表面は塗膜層１１の形成により摩擦係数が大きくなり、衣服が滑り難くなる。また、塗料中の消臭剤及び抗菌剤により、衣服に対して消臭及び抗菌効果を発揮する。【選択図】図１
0003213769.tif 000002
【実用新案登録請求の範囲】
【請求項１】
ハンガー本体と、当該ハンガー本体の中央上端部に設けたフックとを備えた衣服用ハンガーであって、
前記ハンガー本体の少なくとも表面に消臭剤及び抗菌剤を含有するポリエステルウレタン系塗料よりなるコーティング材で塗膜層が形成されている
ことを特徴とする衣服用ハンガー。
【請求項２】
請求項１に記載の衣服用ハンガーにおいて、前記ハンガー本体の両端部間に横架されたバーをさらに備え、前記バーの表面に消臭剤及び抗菌剤を含有するポリエステルウレタン系塗料よりなるコーティング材で塗膜層が形成されていることを特徴とする衣服用ハンガー。
【請求項３】
前記ハンガー本体はプラスチック材で構成されていることを特徴とする請求項１又は２に記載の衣服用ハンガー。
【請求項４】
前記ハンガー本体は木材で構成されていることを特徴とする請求項１又は２に記載の衣服用ハンガー。
【請求項５】
前記ハンガー本体は金属材で構成されていることを特徴とする請求項１又は２に記載の衣服用ハンガー。
【請求項６】
前記ポリエステルウレタン系塗料が二液型ポリエステルウレタン系塗料であることを特徴とする請求項１ないし５のいずれかに記載の衣服用ハンガー。
【請求項７】
前記消臭剤が無機系消臭剤であることを特徴とする請求項１ないし５のいずれかに記載の衣服用ハンガー。
【請求項８】
前記抗菌剤が無機系抗菌剤であることを特徴とする請求項１ないし５のいずれかに記載の衣服用ハンガー。
【考案の詳細な説明】
【技術分野】
【０００１】
本考案は衣服用ハンガー関するものである。
【背景技術】
【０００２】
従来、衣服用ハンガーは、一般にプラスチック、木材或いは金属材で造られ、各種の形状のものが開発されている。例えば、プラスチック製のハンガーは、プラスチックの平滑面がそのまま露呈しているので滑り易くなっている。また、木材製及び金属製についてもハンガーの表面が平滑面になっているので、滑り易い。そのため、ハンガーに掛けて置いた衣服が不用意に滑り落ちるおそれがあると共に、衣服が傾いた状態のまま掛けられて、形くずれを生じる問題を有している。
【０００３】
従来のハンガーは上記したように滑り易い。そのため、例えば、デパートの衣服売場、或いは衣服販売店等においては、閉店後、店員が見廻って点検し、傾いて掛っている衣服やすべり落ちている衣服を修正している。しかし、この作業は毎日行なうので時間と手間が掛る。
【０００４】
そこで、ハンガーの滑りを防止するため、例えばプラスチック製のハンガー本体の表面にエンボス加工を施したものが知られている。しかし、ハンガー本体の表面にエンボス加工を施しても、衣服の滑りを充分に防ぐことはできなかった。また、上記従来のハンガーは、素材の地肌が露呈しているので、外観上（美的感覚上）においても改良を加えるべき問題を有していると共に感触的にも問題を有している。
【０００５】
上記問題を解消するため、ハンガー本体の表面に短繊維で植毛を施したハンガーが提案されている（例えば、特許文献１〜３参照）。これらの植毛ハンガーによれば、上述した問題点は解消することができる。
【０００６】
一方、本考案者は、上述した植毛とは全く別の手段によって、上記問題を解消し得る衣服用ハンガーを本考案に先立って提案した（特許文献４参照）。
【０００７】
上記特許文献４の衣服用ハンガー（先行技術）は、ハンガー本体の表面にポリエステルウレタン系塗料よりなるコーティング材で塗膜層を形成したものである。
【０００８】
上記先行技術の衣服用ハンガーによれば、上述した問題点を解消することができる。即ち、上記のようにハンガー本体の表面にポリエステルウレタン系塗料よりなるコーティング材で塗膜層を形成すると、塗膜層によりハンガー本体の表面の摩擦抵抗が大きくなり、衣服が滑り難くなる。また、手ざわり感が良好になると共に外観上においても高級感を呈する。
【先行技術文献】
【特許文献】
【０００９】
【特許文献１】実開昭６２−１７７３７７号公報
【特許文献２】実開平２−１１１３７１号公報
【特許文献３】登録実用新案第３０２２１８２号公報
【特許文献４】登録実用新案第３１１６６９０号公報
【考案の概要】
【考案が解決しようとする課題】
【００１０】
ところで、衣服用ハンガーに掛けてある衣服にはアンモニア臭、ホルムアルデヒド臭、タバコ臭その他の悪臭が残っていたり、或いは各種の雑菌が付着している場合がある。しかるに、これらを除去する作用（効果）を具備する衣服用ハンガーは未だ提案されていない。
【００１１】
本考案は上記したような実情に鑑みてなされたもので、上記先行技術の衣服用ハンガーの有する特長はそのまま活用し、さらに加えて消臭及び抗菌作用（効果）を具備させて商品価値を向上させ得る衣服用ハンガーを提供することを目的とするものである。
【課題を解決するための手段】
【００１２】
上記目的を達成するため、本考案のうち１つの考案（第１の考案）は、ハンガー本体と、当該ハンガー本体の中央上端部に設けたフックとを備えた衣服用ハンガーであって、
前記ハンガー本体の少なくとも表面に消臭剤及び抗菌剤を含有するポリエステルウレタン系塗料よりなるコーティング材で塗膜層が形成されていることを特徴とする。
【００１３】
第１の考案において、ハンガー本体は、その構成素材は特に限定するものではないが、例えばプラスチック材，木材、或いは金属材で構成したものを採用することができる。
【００１４】
上記のようにハンガー本体の表面にポリエステルウレタン系塗料よりなるコーティング材で塗膜層を形成すると、塗膜層によりハンガー本体の表面の摩擦抵抗が大きくなり、衣服が滑り難くなる。また、手ざわり感が良好になると共に外観上においても高級感を呈する。
【００１５】
また、前記塗料には消臭剤及び抗菌剤が含有されているので、ハンガー本体に消臭作用及び抗菌作用を具備させることができる。
【００１６】
第１の考案において、前記塗料の色は特に限定するものではなく、所望に応じて任意の色を選択して採用することができる。また、前記塗料は一液型及び二液型ポリエステルウレタン系塗料を採用することができる。なお、二液型ポリエステルウレタン系塗料を採用することが特に好ましい。この点については後述する各考案においても同様である。
【００１７】
また、第１の考案において、前記消臭剤及び抗菌剤の成分等は特に限定するものではなく、任意に選択して採用することができる。なお、無機系消臭剤及び無機系抗菌剤を採用することが好ましい。この点については後述する各考案においても同様である。
【００１８】
本考案のうち他の１つの考案（第２の考案）は第１の考案の衣服用ハンガーにおいて、前記ハンガー本体の両端部間に横架されたバーをさらに備え、前記バーの表面に消臭剤及び抗菌剤を含有するポリエステルウレタン系塗料よりなるコーティング材で塗膜層が形成されていることを特徴とする。
【００１９】
上記のように構成すると、バーの表面が塗膜層により摩擦抵抗が大きくなるので、第１の考案の効果に加え、例えば、バーに掛けたズボンが滑り落ちるのを防止できる。また、例えばバーにズボンの裾部分だけを掛けても滑り落ちるのを防止できるので、ズボンを掛けておくことにより、ズボンに付いている皺を修正する効果も発揮する。さらにまた、前記バーに消臭作用及び抗菌作用を具備させることができる。
【考案の効果】
【００２０】
本考案によれば次の用な効果を奏する。
（１）ハンガー本体の表面は塗膜層によって摩擦抵抗（係数）が大きくなり、衣服を滑り難くできるので、ハンガー本体に掛けた衣服の形くずれを防止できる。（２）ハンガー本体の感触が良好になると共に外観上における意匠的効果を向上させて高級感を呈し、ハンガーの品格をグレードアップする。
（３）塗膜層の作用によりハンガーに静電気が滞留するのを防止することもできる。
（４）前記塗料には消臭剤及び抗菌剤が含有されているので、ハンガー本体及び前記バーは消臭作用及び抗菌作用を具備する。したがって、衣服用ハンガーに掛けた衣服に対して消臭効果（作用）及び抗菌効果（作用）を発揮することができる。
【図面の簡単な説明】
【００２１】
【図１】本考案の一実施形態の衣服用ハンガーの構成を概略的に示す図であって、同図（ａ）は説明正面図、同図（ｂ）は同図（ａ）のＡ−Ａ線拡大断面図である。
【図２】図１のＢ−Ｂ線拡大説明断面図である。
【図３】前記ハンガーの使用状態の一例を示す説明図である。
【図４】前記ハンガーの他の使用状態を示す説明図である。
【考案を実施するための形態】
【００２２】
以下、図面を参照して本考案の衣服用ハンガーの実施形態の一例について説明する。
【００２３】
図１ないし図４は、本考案の一実施形態の衣服用ハンガーを示す。
【００２４】
図１ないし図４に示すように、本実施形態の衣服用ハンガーは、ハンガー本体１と、このハンガー本体の中央上端部に設けたフック２と、ハンガー本体１の両端間に横架されるバー３とを備えている。
【００２５】
前記ハンガー本体１は、ＡＢＳ樹脂，ＰＳ樹脂，ノリル，ＰＣ樹脂，塩ビ（ポリ塩化ビニル），ＰＰ樹脂，ＰＭＭＡ樹脂，ＦＲＰ樹脂その他のプラスチック材、木材、或いはアルミ合金，銅板，ステンレス等の金属材等で構成したものを採用することができる。本実施形態のハンガー本体１はプラスチック材で中空殻状（断面略逆Ｕ字状）に形成したものを採用している。但し、ハンガー本体１の形状等は任意に変更可能である。
【００２６】
ハンガー本体１は、少なくとも表面に消臭剤及び抗菌剤を含有するポリエステルウレタン系塗料よりなるコーティング材で塗膜層１１が形成されている。本実施形態ではハンガー本体１の表面及び内側面の全面に前記塗膜層１１が形成されている。
【００２７】
前記コーティング材として使用するポリエステル系塗料は、市販の一液型又は二液型ポリエステルウレタン系コーティング材（塗料）を任意に選択して採用することができる。本実施形態では二液型ポリエステルウレタン系コーティング材を採用している。この二液型ポリエステルウレタン系コーティング材（二液型ポリエステルウレタン系塗料）には、１コート系と２コート系とがあり、所望に応じて任意に選択して採用する。また、前記塗料のカラー（色）も任意に選択する。なお、前記塗料は希釈材（シンナー等）で適当に希釈して使用される。
【００２８】
前記塗料に含有する消臭剤は市販のものを任意に選択して採用できる。なお、例えば平均粒径約１μｍないし約１０μｍ程度の粉末状の無機系消臭剤を採用するのが好ましい。本実施形態では、消臭剤として、東亜合成株式会社製の無機系消臭剤（商品名：ケスモン：登録商標）を採用している。この消臭剤は化学吸着タイプの無機系消臭剤である。
【００２９】
前記塗料に含有する抗菌剤も市販のものを任意に選択して採用できるが、消臭剤と同様に、例えば平均粒径約１μｍないし約１０μｍ程度の粉末状の無機系抗菌剤を選択して採用するのが好ましい。本実施形態では、抗菌剤として、東亜合成株式会社製の無機系抗菌剤（商品名：ノバロン：登録商標）を採用している。この抗菌剤は亜鉛を抗菌成分とする無機抗菌剤である。この無機抗菌剤は、細菌（雑菌）の分裂及び増殖を阻止する作用効果がある。また、細菌（雑菌）を死滅させる作用もある。そのため、細菌に起因して発生する悪臭に対する消臭効果も発揮する。
【００３０】
前記ポリエステルウレタン系塗料に対する前記消臭剤及び抗菌剤の配合割合は特に限定するものではないが、例えば前記塗料に対し、前記消臭剤を約０．５％ないし約１．５％、前記抗菌剤を約０．５％ないし約１．５％程度の範囲を挙げることができる。
【００３１】
前記消臭剤及び抗菌剤を前記塗料に対して上記配合比で含有させることにより、期待した所期の目的を達成することが判明した。なお、前記塗料に対する前記消臭剤及び抗菌剤の配合の割合は上記範囲内に限定されるものではない。
【００３２】
本実施形態では、前記塗料に対し、前記消臭剤及び抗菌剤を、それぞれ約１．０％の割合で添加し、撹拌混合して前記コーティング材を調製した。
【００３３】
前記塗膜層１１の形成手段は特に限定するものではないが、例えば静電塗装，吹き付け塗装，ハケ塗り、或いは浸漬（ドブ漬）等により行なえる。具体的には、前記例示した方法により前記コーティング材をハンガー本体１に塗付した後、適当な温度（例えば約７０℃〜約１５０℃）で適当な時間（例えば約１０分〜約３０分）乾燥する。これにより、ハンガー本体１の所定部（この本実施形態では本体１の表面及び内側側の全面）に塗膜層１１が形成される。塗膜層１１の膜厚は例えば約１０μｍ〜約２５μｍ程度になる。前記膜厚は前記塗料の上述した希釈度合等により多少の差異が生じる。なお、前記塗膜形成は一度塗り或いは数回重ね塗りにより行なえる。
【００３４】
前記ポリエステルウレタン系塗料よりなるコーティング材で塗膜層１１を形成することにより、ハンガー本体１の表面（内側面も同様）は摩擦抵抗（係数）が大きくなり、ハンガーに掛けた衣服の滑りを防止する。また、ハンガー本体の手ざわり感が良好になると共に外観上においても高級感を呈する。この場合、手ざわり感や外観等は使用する前記塗料のカラーによって特性に相違があり、例えば、黒色系の塗料を採用したときは、ベルベットのような感触及び外観を呈する。また、例えば、青色系の塗料を採用したときは、シルクのような高級感のある色調を呈する。さらにまた、塗膜層１１を形成することによって、ハンガー本体１に静電気が滞留するのを防止する。これらの点については後述するバー３においても同様である。
【００３５】
また、前記塗料には消臭剤及び抗菌剤が含有されているので、ハンガー本体は消臭作用及び抗菌作用を具備する。したがって、ハンガー本体に掛けた衣服に対して消臭効果（作用）及び抗菌効果（作用）を発揮する。これらの点については後述するバー３においても同様である。
【００３６】
前記バー３はハンガー本体１の両端部間に横架して設けてある。バー３はハンガー本体１と同様のプラスチック材，木材、或いは金属材等で構成したものを採用することができる。本実施形態ではプラスチック材で構成したものを採用している。
【００３７】
本実施形態のバー３は、両面（図１において前後面）に長手方向に沿わせて凹溝３１，３２が形成されている。但し、バー３の構成等は任意に変更可能なものである。
前記バー３には、表面の全体に消臭剤及び抗菌剤を含有するポリエステルウレタン系塗料よりなるコーティング材で塗膜層３３が形成されている。バー３に使用する前記コーティング材及び塗膜形成手段等についてはハンガー本体１と同様である。
【００３８】
前記ポリエステルウレタン系コーティング材で塗膜層３３を形成することにより、バー３の表面は摩擦抵抗が大きくなるので、例えばバー３に掛けたズボン４（図４参照）が滑り落ちるのを防止する。また、図４に示すように、例えばバー３にズボン４の裾４ａの部分だけを掛けてもズボン４を保持して滑り落ちるのを防止できるので、ズボンの皺を修正する効果も奏する。
【００３９】
また、前記塗料には消臭剤及び抗菌剤が含有されているので、バー３は消臭作用及び抗菌作用を具備する。したがって、バー３に掛けたズボン４等に対して消臭効果及び抗菌効果を発揮する。
【００４０】
前記フック２は、ハンガー本体１の中央上端部に設けてある。本実施形態のフック２は金属棒で構成され、ハンガー本体１の中央上端から突出する鉛直部２１と、この鉛直部２１の上端から略半形状に湾曲させて延設した吊り下げ部２２とを有してなっている。前記フック２は鉛直部２１の下半部をハンガー１の所定部に鉛直に形成したパイプ１２に回動可能、かつ、脱拔を規制して嵌挿して設けてある。
【００４１】
本実施形態の衣服用ハンガーは上記のように構成したもので、従来の衣服用ハンガーと同様に、例えば図４に示すように、洋服ダンス、ワードロープ、クローゼット或いは衣服ラック等に水平に横架されている掛けパイプ５にフック２を掛けて使用するものである。
【００４２】
なお、本実施形態ではハンガー本体１及びバー３をプラスチック材で構成したれを開示したが、両者１，３を木材或いは金属材等で構成してもよい。
木材或いは金属材を採用するときは、必要に応じて前記塗料で塗装を行なう前にハンガー本体及びバーの被塗装面を下地処理する。この場合において、木材で構成したものにおいては、前記塗料を複数回重ね塗りする手法を採用するのが好ましい。これにより、初回の塗装が下地処理材（剤）になる。
上記のようにハンガー本体１及びバー３を木材或いは金属材で構成した場合においてもプラスチック材で構成したものと同様の作用効果を奏する。
【００４３】
また、上記した実施形態は一例として開示したもので、本考案は上記の実施形態に限定されるものではなく、実用新案登録請求の範囲に記載の技術思想を越脱しない範囲内において任意に変更可能なものである。
【符号の説明】
【００４４】
１      ハンガー本体
２      フック
３      バー
１１    塗膜層
【図１】
0003213769.tif 000003
【図２】
0003213769.tif 000004
【図３】
0003213769.tif 000005
【図４】
0003213769.tif 000006